【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
結合し合って一体ボディを形成する第１のラミネートシートおよび第２のラミネートシートを有し、該一体ボディがオーラルケア流体製品を収容する製品キャビティを有する製品収容部分を含み; 
第１および第２のラミネートシートの各々が、ポリエチレン（ＰＥ）層およびポリエチレンテレフタレート（ＰＥＴ）層を含み、および
該ＰＥ層が第１の厚さを有し、該ＰＥＴ層が第２の厚さを有し、かつ第２の厚さが第１の厚さ以下であることを特徴とするパッケージ。
【請求項２】
第１の厚さが、１５〜２００ミクロンの範囲にある請求項１記載のパッケージ。
【請求項３】
第２の厚さが、５０〜３００ミクロンの範囲にある；及び／または、
第１の厚さ：第２の厚さの比が、２：１〜４：１の範囲にあり、
場合により、
第１の厚さ：第２の厚さの比が、約３：１である請求項１〜２のいずれかに記載のパッケージ。
【請求項４】
前記製品収容部分が、オーラルケア流体製品の０．１ｍＬ〜５０．０ｍＬを収容する請求項１〜３のいずれかに記載のパッケージ。 
【請求項５】
第１および第２のラミネートシートの各々が、ＰＥ層とＰＥＴ層の間に配置されてＰＥ層とＰＥＴ層を結合する結合層を有し、
場合により、
前記結合層が、エチレンアクリル酸、無水物変性エチレンアクリレート接着剤樹脂、エチレンとメタクリル酸との共重合体、エチレンエチルアクリレート共重合体、変性ポリエチレン、変性ポリオレフィン、アイオノマーおよびメタクリル酸変性ポリエチレンからなる群から選択された材料から形成される;及び／または、
前記結合層が、５〜３０ミクロンの範囲の第３の厚さを有する請求項１〜４のいずれかに記載のパッケージ。 
【請求項６】
第１および第２のラミネートシートの各々のためのＰＥの層とＰＥＴの層が、接着剤を介して結合される請求項１〜４のいずれかに記載のパッケージ。 
【請求項７】
第１および第２のラミネートの各々について、ＰＥ層が直接ＰＥＴ層に結合され、
場合により、
第１および第２のラミネートシートの各々について、第１の厚さは約５０ミクロンであり、第２の厚さが１５０〜２００ミクロンの範囲にある請求項１記載のパッケージ。
【請求項８】
更に、
製品キャビティからオーラルケア流体製品を分配するためのノズル部；
ノズル部の分配オリフィスをシールするブレークオフキャップ；および、
ノズル部のトップエッジおよびブレークオフキャップのボトムエッジを規定する一体ボディ中の第１の脆弱領域を有し、
場合により、
更に、製品キャビティから第１の脆弱領域を超えた場所にまで延びる分配管路を包含しているノズル部を含み;および、
ブレークオフキャップが第１の脆弱領域に沿ってノズル部から分離されたときに、前記分配管路が露出し、
さらに、場合により、
ブレークオフキャップは、そのブレークオフキャップが第１の脆弱領域に沿ってノズル部から分離された後、分配オリフィスを再封止するために、ノズル部を摺動可能に受ける挿入開口部を有するノズルキャビティをさらに含有し;
一体ボディが挿入開口部をシールするカバーおよびブレークオフキャップのトップエッジとカバーのボトムエッジを規定する第２の脆弱領域をさらに含有し;および、
カバーが第２の脆弱領域に沿ってブレークオフカバーから分離された時に、挿入開口部が露出する; 及び／または、
製品含有部分、ノズル部およびブレークオフキャップの各々が封止フランジを含有し、製品含有部分、ノズル部およびブレークオフキャップの前記封止フランジが製品キャビティおよびノズル部の分配管路をシールする、請求項１記載のパッケージ。
【請求項９】
第１および第２のラミネートシートの各々について、ＰＥ層が内層であり、ＰＥＴ層が外層であり、第１および第２のラミネートシートのＰＥ内層が熱的に融着される請求項１〜８のいずれかに記載のパッケージ。
【請求項１０】
結合し合って一体ボディを形成する第１のラミネートシートおよび第２のラミネートシートであって、該一体ボディが：
流体製品を収容する製品キャビティを有する製品収容部分；
製品キャビティから流体製品を分配するノズル部;および、
ノズル部の分配オリフィスをシールし、ノズル部を摺動可能に受ける挿入開口部を有するノズルキャビティを含有するブレークオフキャップ；
を備えるものである第１のラミネートシートおよび第２のラミネートシート；
および
ノズル部のトップエッジおよびブレークオフキャップのボトムエッジを規定する一体ボディ中の第１の脆弱領域であって、前記ブレークオフキャップをノズル部から前記第１の脆弱領域に沿って分離すると前記ノズル部分の分配オリフィスが露出する、第１の脆弱領域；
ノズル部かブレークオフキャップのいずれかに配置される少なくとも１つのインデント；
ノズル部かブレークオフキャップの他の一つに配置される少なくとも１つの突起、を備え；
および
前記ノズル部がブレークオフキャップに摺動可能に挿入される時に、少なくとも１つのインデントおよび少なくとも１つの突起が互いに係止するパッケージ。
【請求項１１】
第１および第２のラミネートシートの各々が、ポリエチレン（ＰＥ）の層およびポリエチレンテレフタレート（ＰＥＴ）の層を含み、
場合により、
前記ＰＥ層が第１の厚さを有し、前記ＰＥＴ層が第２の厚さを有し、かつ第２の厚さが第１の厚さ以下であり、
さらに、場合により、
第１の厚さ：第２の厚さの比が、２：１〜４：１の範囲にある請求項１０記載のパッケージ。
【請求項１２】
前記ノズル部が、封止フランジ、および、分配オリフィスを包含する分配管路をさらに含み；
ノズルキャビティが、中央ボアおよび該中央ボアから放射状に広がるスロットをさらに含み；および
前記ノズルがノズルキャビティに摺動可能に挿入される時、分配管路は中央ボア内に存在し、ノズル部の封止フランジがスロット内に存在し、それによってノズル部とブレークオフキャップの間で相対的な回転を防止する、請求項１〜１１のいずれかに記載のパッケージ。
【請求項１３】
複数のパッケージが相互接続して長手方向のストリップを形成し、各パッケージが第１のラミネートシートおよび第２のラミネートシートを包含して、それらが互いに熱成形されて一体ボディを形成し、該一体ボディが練り歯磨きを収容する製品キャビティを有する製品収容部分、製品キャビティから練り歯磨きを分配するノズル部および該ノズル部の分配オリフィスをシールしているブレークオフキャップを含み;
長手方向ストリップの隣接したパッケージが、横断方向の脆弱領域によってお互いから分離される、練り歯磨きマルチパック。
【請求項１４】
長手方向ストリップの最上位のパッケージが、最上位パッケージの封止フランジに形成されるハンガーホールを有する；
及び／または、
各々のパッケージが、更に：
ノズル部のトップエッジおよびブレークオフキャップのボトムエッジを規定する一体ボディ中の第１の脆弱領域；
製品キャビティから前記第１の脆弱領域を超える場所にまで延びる分配管路を包含するノズル部を備え；
ブレークオフキャップが、第１の脆弱領域に沿ってノズル部から分離される時に、分配オリフィスが露出し；
前記ブレークオフキャップは、ブレークオフキャップが第１の脆弱領域に沿ってノズル部から分離された後に、ノズル部を摺動可能に受けて分配オリフィスを再封止する挿入開口部を有するノズルキャビティを含有し；
一体ボディが、挿入開口部をシールするカバーを備え;
ブレークオフキャップのトップエッジおよびカバーのボトムエッジを規定する一体ボディ中の第２の脆弱領域を備え；および、
前記カバーが第２の脆弱領域に沿ってブレークオフキャップから分離された時に、挿入開口部が露出し、
場合により、
長手方向ストリップ中の複数のパッケージのカバーが、お互いに接続している請求項１３記載の練り歯磨きマルチパック。
【請求項１５】
ストリップのパッケージの全てが、第１のラミネートシートの一片と第２のラミネートシートの一片から形成される請求項１３〜１４のいずれかに記載の練り歯磨きマルチパック。